(57)【要約】【課題】  挿脱し易い構成を維持した状態で外れ難いスリーブホルダを提供する。【解決手段】  平行に配置した一対の板体１２，１３によりスリーブを挟持して保持するよう形成し、小径のスリーブと大径のスリーブが上下に重ねて配置可能なように小径のスリーブを保持する第１スリーブ保持部１０ａと大径のスリーブを保持する第２スリーブ保持部１０ｂとを同一直線上に異なる高さで配置し、第１スリーブ保持部１０ａに隣接する前方に第１スリーブ保持部１０ａに保持させた光ファイバを挟持する第１光ファイバ挟持片１１ａを配置し、第２スリーブ保持部１０ｂに隣接する後方に第１及び第２スリーブ保持部１０ａ，１０ｂに保持させた光ファイバを挟持する第２光ファイバ挟持片１１ｂを配置した。【選択図】  図２
2006330296.tif 000002
【特許請求の範囲】
【請求項１】
光ファイバの融着部等に取り付けた大小２種類の径のスリーブを保持可能とした光接続箱のスリーブホルダにおいて、
個々のスリーブ保持部は、光接続箱の底面上で平行に立設した一対の板体によりスリーブを挟持して保持するよう形成されると共に、小径のスリーブを保持する第１スリーブ保持部と大径のスリーブを保持する第２スリーブ保持部とが平面視で同一直線上に配置され、且つ互いのスリーブの保持位置を上下方向で異ならせることで、小径のスリーブと大径のスリーブとを上下に重なるように保持可能であって、
第１スリーブ保持部に隣接させて少なくとも第１スリーブ保持部に保持させた光ファイバを挟持する第１光ファイバ挟持片を配置し、第２スリーブ保持部に隣接させて少なくとも第２スリーブ保持部に保持させた光ファイバを挟持する第２光ファイバ挟持片を配置したことを特徴とする光接続箱のスリーブホルダ。
【請求項２】
小径のスリーブが下段に、大径のスリーブが上段に配置されるよう第１スリーブ保持部と第２スリーブ保持部を形成し、第２スリーブ保持部の下部には第１スリーブ保持部に保持させたスリーブを配置可能な空間を備えて成る請求項１記載の光接続箱のスリーブホルダ。
【発明の詳細な説明】
【技術分野】
【０００１】
本発明は、光ファイバの融着部を保護するために融着部に被覆したスリーブを保持する光接続箱のスリーブホルダに関する。
【背景技術】
【０００２】
光成端箱等の光接続箱内において、光ファイバの融着による接続部は筒状のスリーブに保護されてスリーブホルダに保持される。このスリーブホルダは、融着部にストレスが加わらないように通常平行に配置した一対の板状体で形成され、挿脱操作し易いようにスリーブを左右から把持するよう形成したものが多い。そして、保持する光ファイバは、例えば単芯光ファイバとテープ心光ファイバとでは径が異なるため、使用するスリーブの径も異なる。そのため、複数のスリーブ径に対応できるように、一対の板状体を段違いに配置して、１本のスリーブ保持スペースで上段と下段で２種類の径のスリーブを保持可能としたものがある（例えば、特許文献１参照）。
【特許文献１】特開２０００−１９３８４３号公報
【発明の開示】
【発明が解決しようとする課題】
【０００３】
しかし、上記特許文献１に開示されているスリーブホルダは、挿脱操作し易く２種類の径のスリーブを省スペースで保持することができるが、保持させたスリーブが外れ易かった。光接続箱は、壁面に設置されることが多く、配線時或いは保守作業等に保持させたスリーブが外れると作業が中断し、スリーブを保持させ直す余分な作業が発生していた。
そこで、本発明はこのような問題点に鑑み、挿脱し易い構成を維持した状態でスリーブが外れ難いスリーブホルダを提供することを目的とする。
【課題を解決するための手段】
【０００４】
上記課題を解決する為に、請求項１に記載の発明は、光ファイバの融着部等に取り付けた大小２種類の径のスリーブを保持可能とした光接続箱のスリーブホルダにおいて、個々のスリーブ保持部は、光接続箱の底面上で平行に立設した一対の板体によりスリーブを挟持して保持するよう形成されると共に、小径のスリーブを保持する第１スリーブ保持部と大径のスリーブを保持する第２スリーブ保持部とが平面視で同一直線上に配置され、且つ互いのスリーブの保持位置を上下方向で異ならせることで、小径のスリーブと大径のスリーブとを上下に重なるように保持可能であって、第１スリーブ保持部に隣接させて少なくとも第１スリーブ保持部に保持させた光ファイバを挟持する第１光ファイバ挟持片を配置し、第２スリーブ保持部に隣接させて少なくとも第２スリーブ保持部に保持させた光ファイバを挟持する第２光ファイバ挟持片を配置したことを特徴とする。
この構成により、２種類の径のスリーブを重ねて同一経路に配置して保持できる。そして、光ファイバもスリーブと合わせて保持されるので、何れの径のスリーブもスリーブホルダから抜け落ち難くなる。
【０００５】
請求項２の発明は、請求項１に記載の発明において、小径のスリーブが下段に、大径のスリーブが上段に配置されるよう第１スリーブ保持部と第２スリーブ保持部を形成し、第２スリーブ保持部の下部には第１スリーブ保持部に保持させたスリーブを配置可能な空間を備えて成ることを特徴とする。
この構成により、第１スリーブ保持部が保持する小径のスリーブが、第１スリーブ保持部の幅より充分長くても、第２スリーブ保持の下部に引き続き配置できるので、小径スリーブが長いスリーブであっても、良好に保持できる。
【発明の効果】
【０００６】
本発明によれば、２種類の径のスリーブを重ねて同一経路に配置して保持できるし、光ファイバもスリーブと合わせて保持できるので、何れの径のスリーブもスリーブホルダから抜け落ち難い。
また、第１スリーブ保持部が保持する小径スリーブが第１スリーブ保持部の幅より充分長くても、第２スリーブ保持の下部に配置できるので、長いスリーブであっても、良好に保持できる。
【発明を実施するための最良の形態】
【０００７】
以下、本発明を具体化した実施の形態を、図面に基づいて詳細に説明する。図１は本発明に係るスリーブホルダを備えた光接続箱の平面図を示し、１は光ファイバ入出線部、２は光ファイバ巻回収容部、３はスリーブホルダ、４は保持する光ファイバを案内する光ファイバ案内壁である。この図に示すように、スリーブホルダ３は光接続箱内に配置され、光ファイバの融着部を保護するために光ファイバに装着されたスリーブ（図示せず）を保持して保護するよう設けられている。
【０００８】
そして、スリーブホルダ３は以下のように構成されている。図２はスリーブホルダ３を抜き出した拡大平面図であり、図３はＸ−Ｘ線断面図で示すスリーブホルダの側面図である。この図に示すようにスリーブホルダ３はスリーブを保持するスリーブ保持部１０と、光ファイバを挟持保持する光ファイバ挟持片１１から構成され、スリーブ保持部１０及び光ファイバ挟持片１１は、何れも光ケーブル接続箱の筐体と一体に合成樹脂で作製されている。尚、説明の都合上、以下図示右方向を前方とする。
【０００９】
スリーブ保持部１０は、高さの異なる第１スリーブ保持部１０ａと第２スリーブ保持部１０ｂの２種類の保持部から成り、双方のスリーブ保持部１０は図２に示すように平面視で同一直線上に配置され、何れのスリーブ保持部１０も４本のスリーブを保持可能に形成されている。また、光ファイバ挟持片１１も同様に高さの異なる第１光ファイバ挟持片１１ａと第２光ファイバ挟持片１１ｂから構成され、スリーブ保持部１０の前後に夫々配置されている。
【００１０】
第１スリーブ保持部１０ａは、図４のＦ−Ｆ線断面図に示すように平行に立設した一対の板体１２，１２によりスリーブ保持空間Ｐ１を形成し、１本の小径のスリーブを保持するよう形成されている。そして、８枚の板体１２，１２・・を並設して、４本の小径のスリーブを隣接して保持可能に形成されている。また、板体１２の上端部に突起１３を設けて挿入したスリーブが抜け出るのを防止している。尚、図４において、８ａは保持された小径のスリーブを示している。
【００１１】
第２スリーブ保持部１０ｂも、図５のＣ−Ｃ線断面図に示すように第１スリーブ保持部１０ａと同様に、平行に立設した一対の板体１４，１４によりスリーブ保持空間Ｐ２を形成し、１本のスリーブを保持するよう形成されている。そして、８枚の板体１４，１４・・を並設して、４本の大径のスリーブを隣接して保持可能に形成されている。また、板体１４上端部には突起１５を設けて挿入したスリーブが抜け出るのを防止している。尚、図５において、８ｂは保持された大径のスリーブを示している。
【００１２】
そして、第２スリーブ保持部１０ｂの板体１４は、第１スリーブ保持部１０ａの板体１２より高く形成され、このスリーブ保持空間Ｐ２は第１スリーブ保持部１０ａのスリーブ保持空間Ｐ１より高い位置に形成され、下部には第１スリーブ保持部１０ａに保持させたスリーブ或いは光ファイバの案内路１６が設けられ、スリーブを同一直線上に２段に配置して保持するよう構成されている。
また、下部に形成した案内路１６は第１スリーブ保持部１０ａのスリーブ保持空間Ｐ１と略同一幅で形成され、引き続き小径のスリーブ８ａを保持可能となっている。また、上部のスリーブ保持空間Ｐ２との間に段部１７が形成されて保持した大径のスリーブ８ｂが下方に落ち込まないようになっている。
【００１３】
図６は、Ｄ−Ｄ線断面で示す第２スリーブ保持部１０ｂの正面図であり、案内路１６の前後端部には案内路１６を狭くするよう帯片１９が形成され、案内路１６に光ファイバが挿通された場合でも良好に保持可能に形成されている。
【００１４】
一方、第１光ファイバ挟持片１１ａは、第１スリーブ保持部１０ａの前方となる光ファイバ導入側に設けられ、スリーブ保持方向に直交する横方向に向けて立設された板体２１に、図７のＧ−Ｇ線断面図に示すように光ファイバを挟持するためのスリット状切り欠き２２を設けて形成されている。切り欠き２２は、小径のスリーブ保持空間Ｐ１の位置に合わせて４箇所形成されている。
【００１５】
また、第２光ファイバ挟持片１１ｂは、第２スリーブ保持部１０ｂの後方となる第１光ファイバ挟持片１１ａとは反対側のファイバ導入側に設けられ、第２スリーブ保持部１０ｂのスリーブ保持方向に直交する横方向に向けて立設された板体２３に、図８のＢ−Ｂ線断面図に示すように光ファイバを挟持するためのスリット状切り欠き２４を設けて形成されている。但し、板体２３は第２スリーブ保持部１０ｂの高さに合わせて高く形成され、切り欠き２４は大径のスリーブ保持空間Ｐ２の位置に合わせて４箇所形成されている。そして、この切り欠き２４は、板体２３の下端まで延設され、１つの切り欠き２４で２段に配置した２本の光ファイバの双方を挟持可能となっている。
【００１６】
このように構成することで、２種類の径のスリーブを重ねて同一直線上に配置して保持でき、省スペースで２種類のスリーブを保持できるし、一対の板体で挟持するようにスリーブを保持させるので挿脱操作がし易い。そして、保持したスリーブの前後で光ファイバを挟持するので、何れの径のスリーブもスリーブホルダから抜け落ち難い。
また、第１スリーブ保持部が保持する小径スリーブが第１スリーブ保持部の板体の幅より充分長くても、引き続き第２スリーブ保持の下部に配置できるので、長いスリーブであっても、良好に保持できる。
【００１７】
尚、上記実施形態は、小径の第１スリーブ保持部１０ａを下段、大径の第２スリーブ保持部１０ｂを上段として、小径のスリーブが長くても良好に保持可能としたが、逆に配置しても良く、そうすることで、大径のスリーブが長い場合に良好に保持可能となる。
また、第１光ファイバ挟持片１１ａを第２光ファイバ挟持片１１ｂより低く形成して、第１スリーブ保持部１０ａに保持させた光ファイバのみ挟持可能としているが、第２光ファイバ挟持片１１ｂと同様の高さで形成しても良く、そうすることで第２スリーブ保持部１０ｂに保持された光ファイバも合わせて挟持できる。
また、光ファイバ挟持片１１に形成した切り欠きを直線状の切り欠きとしたが、曲線形状、或いはＬ字状の切り欠きとしても良く、一旦挿入した光ファイバが更に抜け難くなりスリーブが外れ難くなる。
更に、スリーブホルダは光接続箱筐体と一体に形成されているが、別体として形成し、使用時に光接続箱に組み付けるようにしても良い。こうすることで、光接続箱とは異なる材質で作製でき、弾性を有する好ましい樹脂で作製することができる。
【図面の簡単な説明】
【００１８】
【図１】本発明に係るスリーブホルダを備えた光接続箱の平面図である。
【図２】図１のスリーブホルダを抜き出した平面図である。
【図３】Ｘ−Ｘ線顔面図であり、本発明のスリーブホルダの側面図を示している。
【図４】Ｆ−Ｆ線断面図である。
【図５】Ｃ−Ｃ線断面図である。
【図６】Ｄ−Ｄ線断面図であり、第２スリーブ保持部の正面図を示している。
【図７】Ｇ−Ｇ線断面図である。
【図８】Ｂ−Ｂ線断面図である。
【符号の説明】
【００１９】
３・・スリーブホルダ、８ａ・・小径のスリーブ、８ｂ・・大径のスリーブ、１０・・スリーブ保持部、１０ａ・・第１スリーブ保持部、１０ｂ・・第２スリーブ保持部、１１・・光ファイバ挟持片、１１ａ・・第１光ファイバ挟持片、１１ｂ・・第２光ファイバ挟持片、１２・・板体、１４・・板体、１６・・案内路。
【図１】
2006330296.tif 000003
【図２】
2006330296.tif 000004
【図３】
2006330296.tif 000005
【図４】
2006330296.tif 000006
【図５】
2006330296.tif 000007
【図６】
2006330296.tif 000008
【図７】
2006330296.tif 000009
【図８】
2006330296.tif 000010